(57)【要約】 【課題】  明るい場所でもレーザー光線を用いた墨だし作業を容易に行うことができるようにする。【解決手段】墨だし装置は、建築現場などにおいて床面などに設置されるレーザー墨だし器と、該レーザー墨だし器から照射されるレーザー光を離れた場所で反射し、該レーザー光を反射面上に投影するための、任意の場所に持ち運び可能なレーザー墨だし器用補助具とからなる。補助具は、枠体と、該枠体に保持されたレーザー光線反射鏡本体とで構成される。レーザー光線反射鏡本体のレーザー光反射投影面の中央には該反射面の主要部を形成する主凸面鏡が設けられ、該主凸面鏡から離れた位置に該主凸面鏡より小さな小型凸面鏡が設けられる。レーザー光反射投影面には主凸面鏡の芯と小型凸面鏡の芯を通る直線上に位置して該直線の少なくとも２点を示す基準表示が設けられている。【選択図】  図１
2012202898.tif 000002
【特許請求の範囲】
【請求項１】
建築現場などにおいて床面などに設置されるレーザー墨だし器と、該レーザー墨だし器から照射されるレーザー光を離れた場所で反射し、該レーザー光を反射面上に投影する、任意の場所に持ち運び可能なレーザー墨だし器用補助具とからなり、該補助具を、枠体と、該枠体に保持されたレーザー光線反射鏡本体とで構成し、該レーザー光線反射鏡本体のレーザー光反射投影面の中央に該反射面の主要部を形成する主凸面鏡を設け、該主凸面鏡から離れた位置に該主凸面鏡より小さな小型凸面鏡を設け、前記レーザー光反射投影面に前記主凸面鏡の芯と小型凸面鏡の芯を通る直線上に位置して該直線の少なくとも２点を示す基準表示を設けたことを特徴とするレーザー墨だし装置。
【請求項２】
レーザー墨だし器から照射されるレーザー光を離れた場所で反射し、該レーザー光を反射面上に投影するための、任意の場所に持ち運び可能なレーザー墨だし器用補助具であって、枠体と、該枠体に保持されたレーザー光線反射鏡本体とから成り、該レーザー光線反射鏡本体のレーザー光反射投影面の中央に該反射面の主要部を形成する主凸面鏡を設け、該主凸面鏡から離れた位置に該主凸面鏡より小さな小型凸面鏡を設け、前記レーザー光反射投影面に前記主凸面鏡の芯と小型凸面鏡の芯を通る直線上に位置して該直線の少なくとも２点を示す基準表示を設けたことを特徴とするレーザー墨だし器用補助具。
【請求項３】
前記レーザー光反射投影面の前記主凸面鏡と小型凸面鏡以外の領域をレーザー光線乱反射鏡としたことを特徴とする請求項２に記載のレーザー墨だし器用補助具。
【請求項４】
前記小型凸面鏡を前記主凸面鏡の芯に対して放射方向に複数個設けたことを特徴とする請求項２に記載のレーザー墨だし器用補助具。
【請求項５】
前記レーザー光線乱反射鏡をエッジングプリズムで構成したことを特徴とする請求項３に記載のレーザー墨だし器用補助具。
【請求項６】
前記基準表示を前記直線に沿って前記レーザー光反射投影面に基準線を描いて構成したことを特徴とする請求項２に記載のレーザー墨だし器用補助具。
【請求項７】
前記枠体の縁部に前記基準表示の延長線上に位置して、筆記具用の墨だし溝を設けたことを特徴とする請求項２に記載のレーザー墨だし器用補助具。
【請求項８】
前記基準線表示を、水平方向と垂直方向を示す少なくとも２つ設けたことを特徴とする請求項２に記載のレーザー墨だし器用補助具。
【発明の詳細な説明】
【技術分野】
【０００１】
本発明は、レーザー墨だし装置及び該装置に用いられるレーザー墨だし器用の補助具に関する。
【背景技術】
【０００２】
従来、建築現場などにおいて床面などに設置し、床面、天井面、壁面にレーザー光を照射して墨だしラインを形成し、正確に墨だしを行えるようにしたレーザー墨だし器が知られている（例えば特許文献１参照）。
【先行技術文献】
【特許文献】
【０００３】
【特許文献１】特開２００２−１９５８３１号公報
【発明の概要】
【発明が解決しようとする課題】
【０００４】
レーザー光線による災害防止対策要綱の規定で、光線のエネルギー量を５段階に分けて災害の大きさを指導している。レーザー光線墨だし器は一般作業従事者が使用するもので、レーザー光線を直視しても網膜の損傷が起きないレベルの出力の光源を使用している。この光源はレーザー光線を投影した場合、蛍光灯の光でも６，７メートル離れると見えなくなり、昼の屋外では使用できないのが現状である。
本発明は上記問題点を解決することを目的とする。
【課題を解決するための手段】
【０００５】
上記目的を達成するため、本発明は、建築現場などにおいて床面などに設置されるレーザー墨だし器と、該レーザー墨だし器から照射されるレーザー光を離れた場所で反射し、該レーザー光を反射面上に投影する、任意の場所に持ち運び可能なレーザー墨だし器用補助具とからなり、該補助具を、枠体と、該枠体に保持されたレーザー光線反射鏡本体とで構成し、該レーザー光線反射鏡本体のレーザー光反射投影面の中央に該反射面の主要部を形成する主凸面鏡を設け、該主凸面鏡から離れた位置に該主凸面鏡より小さな小型凸面鏡を設け、前記レーザー光反射投影面に前記主凸面鏡の芯と小型凸面鏡の芯を通る直線上に位置して該直線の少なくとも２点を示す基準表示を設けたことを特徴とする。
また本発明は、レーザー墨だし器から照射されるレーザー光を離れた場所で反射し、該レーザー光を反射面上に投影するための、任意の場所に持ち運び可能なレーザー墨だし器用補助具であって、枠体と、該枠体に保持されたレーザー光線反射鏡本体とから成り、該レーザー光線反射鏡本体のレーザー光反射投影面の中央に該反射面の主要部を形成する主凸面鏡を設け、該主凸面鏡から離れた位置に該主凸面鏡より小さな小型凸面鏡を設け、前記レーザー光反射投影面に前記主凸面鏡の芯と小型凸面鏡の芯を通る直線上に位置して該直線の少なくとも２点を示す基準表示を設けたことを特徴とする。
また本発明は、前記レーザー光反射投影面の前記主凸面鏡と小型凸面鏡以外の領域をレーザー光線乱反射鏡としたことを特徴とする。
また本発明は、前記小型凸面鏡を前記主凸面鏡の芯に対して放射方向に複数個設けたことを特徴とする。
また本発明は、前記レーザー光線乱反射鏡をエッジングプリズムで構成したことを特徴とする。
また本発明は、前記基準表示を前記直線に沿って前記レーザー光反射投影面に基準線を描いて構成したことを特徴とする。
また本発明は、前記枠体の縁部に前記基準表示の延長線上に位置して、筆記具用の墨だし溝を設けたことを特徴とする。
また本発明は、前記基準線表示を、水平方向と垂直方向を示す少なくとも２つ設けたことを特徴とする。
【発明の効果】
【０００６】
本発明は、直射日光の当たる明るい場所でも中央とその周囲の凸面鏡により光源映像を鮮明に確認でき、レーザー光線を用いた墨だし作業を容易に行うことができる。
【図面の簡単な説明】
【０００７】
【図１】本発明の説明図である。
【図２】本発明の説明図である。
【図３】墨だし器用補助具の裏面図である。
【発明を実施するための形態】
【０００８】
以下に本発明の構成を添付した図面を参照して詳細に説明する。
図２は、工事用レーザー墨出し装置の説明的外観図を示している。本装置は、レーザー光線発信機（レーザー墨だし器）１と、レーザー光線発信機１から照射されるレーザー光線を、該レーザー光線発信機１から離れた場所で、反射し光源映像を投影する墨だし器用補助具１４とから構成されている。
【０００９】
レーザー光線発信機１は工事用レーザー墨だし器として、従来公知の市販の製品であり、水平方向にレーザー光線４を面状に照射する水平方向レーザー照射部と、垂直方向にレーザー光線３を面状に照射する垂直方向レーザー照射部とが設けられている。レーザー墨だし器用補助具１４は、枠体１２に、反射投影用の反射鏡本体２が保持された構成となっている。
【００１０】
補助具１４は、任意の場所に容易に持ち運び可能な重さと大きさを有し、レーザー光線発信機１とは別体に構成されている。枠体１２は、円盤状の底部と、その周囲に突設された周壁部とから構成され、底部と周壁部とで形成される浅い円柱状の嵌合凹部に、円盤状の反射鏡本体２が枠体１２の底部に対して水平に嵌合配置され、接着剤などの適宜な固定手段により、枠体１２に固定されている。
【００１１】
反射鏡本体２の表面側は開放され、該開放面がレーザー光反射投影面１５を構成している。レーザー光反射投影面１５は、中央部に外形が円形の、反射鏡本体２の主要部を占める大型の主凸面鏡５が形成され、その周囲にレーザー光線乱反射鏡１０用が形成されている。この乱反射鏡１０は、エッジングプリズムを構成している。
【００１２】
また、前記乱反射鏡１０形成領域内には、前記主凸面鏡５の中心（芯）に対して放射方向に８個の、前記主凸面鏡５の径に比し、小径な、小型凸面鏡９が、円周方向に互いに略等間隔で形成されている。また、各小型凸面鏡９と主凸面鏡５の芯との距離が略等間隔に設定されている。前記反射鏡本体２の表面には、主凸面鏡５の中心（芯）と、各小型凸面鏡９の中心（芯）を通る直線上に基準線１１が４本適宜な方法により、描画されている。
【００１３】
尚、基準線１１は、直交する２本とこれに対して４５度の角度を有する２本が図示されている。前記枠体１２の周壁部には筆記具の先端を差し込み、枠体１２の裏面１６が接する駆体（図示省略）に印を付けるための墨だし溝１３が各基準線１１の延長線上に形成されている。図３は補助具の裏面１６を示し、全面にエッジングプリズムからなる光線乱反射投影面１５’が形成されている。この投影面１５’に対応して、４本の基準線１１’が描画されている。この補助具１４の裏側は、凸面鏡５，９を使用しないで、墨だし作業を行う場合に使用されるものである。この補助具１４の表面側と裏面側は、溝１３を共有している。
【００１４】
上記した構成において、床面上にレーザー光線発信機１を設置し、駆体の壁面の所定の位置に補助具１４を手操作で、そのレーザー光反射投影面１５をレーザー光線発信機１に向けて配置する。レーザー光線発信機１は、レーザー光線３，４を水平と垂直方向に面状に発射して、駆体に赤色の線を投影する。以下、水平方向にレーザー光線４を面状に発射したときの動作について説明する。
【００１５】
明るい場所で見えない光線を検索する場合、水平のレーザー光線４に対して、反射鏡本体２を図２に示すように約垂直にして上下方向１７に移動すると主凸面鏡５に光源が光源投影像６として投影され、レーザー光の水平ラインが確認できる。その光源映像６を、主凸面鏡５の中央にくるように補助具１４を微動させて合わせる。
【００１６】
同時に水平方向の小型凸面鏡９，９の２カ所もその中央を光源影像７の水平ラインに合わせる。その際水平レーザー光線４は反射鏡本体２のレーザー光線乱反射鏡１０の小さな粒子反射により、レーザー光反射投影面１５に赤色線８が現れる。その線８の中央に左右の小型凸面鏡９，９と主凸面鏡５の各中央（芯）を合わせることで、水平位置を正確に出すことができる。
【００１７】
駆体への墨だしは、枠体１２の、三箇所の凸面鏡５，９の芯を延長した位置に溝１３が有り、筆記用具の先端を溝１３に差し込み、駆体に印を付け基準線を転記する。主凸面鏡５の光源影像６は検索角度により焦点が移動して水平位置が変化するため、主凸面鏡５の中央に光源の映像を移動させることができる。
【００１８】
レーザー光線乱反射鏡１０のエッジングプリズムは、平面反射のため、正確にレーザー光線４の位置を投影する。したがって凸面鏡５，９の光源映像を中央の基準線１１に合わせることで、正確に水平基準を出すことができる。仮に反射鏡本体２が傾いても、乱反射鏡１０のエッジングプリズムに投影されたレーザー光線４の水平位置は変化しない。
【００１９】
直射日光の当たる場所でのエッジングプリズム反射光線は粒子反射のため、光源が小さく確認は難しい。しかし、主凸面鏡５の光源映像７は鮮明に確認することができるため、前記の方法で水平基準線を出すことができる。凸面鏡５，９は光源が小さく反射され鋭い光となるが、目に障害を与えることはない。
【００２０】
レーザー光乱反射鏡１０のエッジングプリズムは微粒の曲面になっているため広角に反射して、微粒光線の集合体になり濃い線８があらわれる。尚、垂直基準線を出す場合の動作は、上記水平基準線を出す場合の動作と原理的には同一なのでその説明を省略する。
【符号の説明】
【００２１】
１        レーザー光線発信機
２        反射鏡本体
３        レーザー光線
４        レーザー光線
５        主凸面鏡
６        光源影像
７        光源影像
８        赤色線
９        小型凸面鏡
１０      レーザー光線乱反射鏡
１１      基準線
１２      枠体
１３      墨だし溝
１４      補助具
１５      レーザー光反射投影面
１６      補助具裏面
【図１】
2012202898.tif 000003
【図２】
2012202898.tif 000004
【図３】
2012202898.tif 000005